(57)【要約】【課題】感温材料、感知素子、感温材料を温度変化から保護する機能を果たす断熱材、及び活性化手段を含む熱履歴表示器。【解決手段】活性化手段の誘発により感温材料の溶融相が感知素子と相互作用をし、又は感知素子との相互作用を停止して、それによりその化学的、生化学的又は微生物学的特性を変更することが出来る。【特許請求の範囲】
【請求項１】
感温材料と、感知素子と、感温材料を温度変化から保護する機能を果たす断熱材と、活性化手段とを含み、活性化手段の誘発により、感温材料の溶融相が、感知素子と相互作用をし、それにより感知素子の化学的、生化学的又は微生物学的特性を変更することの出来る、熱履歴表示器。
【請求項２】
溶融相が、感知素子と直接的に相互作用をしてその化学的、生化学的又は微生物学的特性を変更する、請求項１に記載の熱履歴表示器。
【請求項３】
溶融相が、感知素子と相互作用をしてその化学的、生化学的又は微生物学的特性を変更するように、反応種を運ぶ、請求項１に記載の熱履歴表示器。
【請求項４】
反応種と感知素子との相互作用が直接的である、請求項３に記載の熱履歴表示器。
【請求項５】
反応種と感知素子との相互作用が間接的である、請求項３に記載の熱履歴表示器。
【請求項６】
感温材料と、感知素子と、感温材料を温度変化から保護する機能の断熱材と、活性化手段とを含む熱履歴表示器であって、活性化手段の誘発により、感温材料の溶融相が、感知素子との相互作用を停止し、それにより感知素子の化学的、生化学的又は微生物学的特性を変更することの出来る、熱履歴表示器。
【請求項７】
誘発の前に、感温材料と感知素子とが直接相互作用をする、請求項５に記載の熱履歴表示器。
【請求項８】
感温材料が誘発に先立って感知素子と相互作用をする反応種を運ぶ、請求項５に記載の熱履歴表示器。
【請求項９】
反応種と感知素子との相互作用が直接的である、請求項７に記載の熱履歴表示器。
【請求項１０】
反応種と感知素子との相互作用が間接的である、請求項７に記載の熱履歴表示器。
【発明の詳細な説明】
【技術分野】
【０００１】
食品及び薬品などの製品が曝露されるのに対し、不適切な温度を明確にすることに、現在大きな関心が寄せられている。このとき、製品を廃棄して消費者の健康を保護するため、この情報を使用することが出来る。同様に、時間遅れ又は賞味期限を品質監視システムの中に組込むことが重要である。以下の文書は、１つ以上の検出システムを誘発することの出来る新規の時間−温度表示器の開発を明確にする。
【背景技術】
【０００２】
最近まで、時間−温度表示器は、その基礎を時間−温度に関連する事象に対し目で容易に見ることの出来る製品の周りに置いて来た。しかし、化学的事象が生起したことを確認するため、すべての製品を目又は他の視覚系で検査しなければならないという点で、これらのシステムには限界がある。以下の発明は、活性化及び用いられる区画化技術に関し広義の視覚系で適用される。
【発明の開示】
【発明が解決しようとする課題】
【０００３】
本発明により、誘発に際し高温度で溶ける溶融相が感知素子と直接相互作用をしてその生理化学的（化学的、生化学的又は微生物学的）特性を変更することの出来る絶縁溶融素子が提供される。
【課題を解決するための手段】
【０００４】
本発明の第１の態様により、感温材料、感知素子、感温材料を温度変化から保護する機能を果たす断熱材を含む熱履歴表示器、及び活性化手段の誘発により、感温材料の溶融相が感知素子と相互作用をし、それにより、感知素子の化学的、生物化学的又は微生物学的特性を変更することの出来る活性化手段が提供される。
【０００５】
本発明のこの態様は、誘発に際し、高温度で溶ける溶融相が感知素子と直接相互作用をしてその生理化学的（化学的、生化学的又は微生物学的）特性を変更することの出来る絶縁溶融素子を提供する。
【０００６】
溶融相は、感知素子と直接相互作用してその化学的、生化学的又は微生物学的特性を変更する。
【０００７】
あるいは、感知素子と相互作用をしてその化学的、生化学的又は微生物学的特性を変更するように、溶融相が反応種を運ぶ。反応種と感知素子との相互作用は直接的のことも間接的のこともある。
【０００８】
本発明の第２の態様により、感温材料、感知素子、感温材料を温度変化から保護する機能を果たす断熱材を含む熱履歴表示器、及び活性化手段の誘発により、温度に敏感な物質の溶融相が感知素子と相互作用を停止し、それにより、感知素子の化学的、生物化学的又は微生物学的特性を変更することが出来る活性化手段が提供される。
【０００９】
本発明のこの態様は、誘発に際し、高温度で溶ける溶融相が感知素子との相互作用を停止して、その物理化学的（化学的、生化学的又は微生物学的）特性を変更することの出来る絶縁溶融素子を提供する。
【００１０】
誘発の前に、感温材料と感知素子は直接相互作用をする。
【００１１】
あるいは、感温材料が、誘発の前に感知素子と相互作用をする反応種を運ぶ。反応種と感知素子との相互作用は直接または間接のこともある。
【発明を実施するための最良の形態】
【００１２】
ここで例示のみの意味で、本発明の各種実施例を記述する。
温度表示器は、特定温度の誘発に依拠する。本実施例の指示器の主成分は、特定の温度で溶融する化学物質である。広範囲の化学種がこの目的に適するので、それらの各種化合物及び混合物を、当業者は公知のように使用して、鮮明又は広範な溶融特性を与えるように使用することが出来る。
【００１３】
感温材料は、温度が融点以下では固体マトリクス配置で存在し、温度が融点以上では溶融状態で存在する。
【００１４】
感温材料自体は、熱履歴表示器の部品を形成する感知素子と反応することがある。しかし、溶融物質が、別の化学的、生化学的（酵素）又は微生物学的種に対する担体として役割を果たすとき、多くの環境で効果的に用いられる。
【００１５】
この反応種は、溶融されると有効なマトリクスから解放され、その結果として反応（物）に関与する。反応種は、固体マトリクスから離れているが感温材料がその溶融状態にあるときは接触する位置に置かれる第２反応種と反応する。
【００１６】
追加反応種（第２反応物質）もまた、マトリクス内に置かれる。こうしてこれら２つは、物質が溶融状態にあって最早マトリクスが２つを分離しなくなるとき相互作用をすることが出来る。このシステムは、非親水性溶融物質を用いる場合に、比較的疎水性の環境であるため化学的／生物学的反応の速度を遅くすることが出来る。
【００１７】
熱履歴表示器は、必要であれば誘発の融点以上の温度で製造することが出来るよう設計される。これは、製造方法を簡略化して経費を削減する。
【００１８】
この効果を達成するためには、素子の区画化が必要である。これは、感温材料を特定のウエル又は区画室にピペットで取り（又は必要に応じて同様に充填し）、壊れ易い膜（又は障壁）で所定の場所に密封することにより可能となる。
【００１９】
１実施例においては、ウエルがヒンジ結合される２つの分離容器の中に充填される。これらのウエルは、好ましい位置でお互いに連結することが出来る。ウエルの間の中央、接近し易い位置に感知素子があり、これは活性化されるとき溶融物質に対し自由に接近することが出来るようになる。この感知素子は溶融物質に直接、又は溶融物質の運ぶ化学物質、生化学物質あるいは微生物により相互作用をすることが出来る。
【００２０】
溶融相は、芯によって検出装置まで引き寄せられる。芯は、吸収剤又は吸収性相であるか又は（細い中空毛細管の使用などにより果たされる）毛管力により作用する。
【００２１】
必要な活性化を提供するため、溶融物質は、区画素子内の明確な位置で固化するよう溶融温度以下に冷却しなければならない。次いでこの素子を、（溶融物質の）流体の流れを制限する密封がそこで不可逆的に損傷される形態に組立てる。このときこの素子は、一方向誘発となる。
【００２２】
活性化する方法が実際には優先されるが、別の手段でも達成される。
【００２３】
簡潔な方法の１つは、表示器の組立に際して区画バリアを破裂させることである。あるいは、特定製品に対する取付けに際し、バリアを破裂させる。このバリアは、最大限活性化されるように設計された。
【００２４】
区画デザインは、表示器を活性化することなく室温などで出荷出来ることを指す。加えて、必要に応じて、活性化されることなく表示器を製品に取付けることが出来る。
【００２５】
これは、製品出荷に伴う経費を削減するので、極めて有用な特徴である。
【００２６】
活性化素子の都合の良い輸送を容易にするためには、溶融に遅れがあるのが望ましい。これは、素子に不可欠な成分、すなわち断熱材（単数又は複数）の組込みにより達成される。絶縁物質は、表示器に取付ける製品と周囲温度との間の温度障壁として働く。この物質は、各種の異なる形態で構成され、製品が必要とする最も適切な時間−温度遅延特性を備えるように設計される。
【００２７】
区画デザインは、製品を活性化することなく室温などで出荷出来ることを指す。これは、製品出荷に伴う経費を削減するので、極めて重要な特性である。
【００２８】
（絶縁）物質の溶融は、次のような不可逆事象として生起しなければならない。
i．表示器上に設けられる覗き窓を通して見ることの出来る化学反応。例えば、これは溶融相自体又はその中の成分が、固体物質から離れてはいるが物質が溶融すると接近可能な位置にある別の種と接触する領域である。
ii．吸入口を通して嗅ぐことの出来る臭いを発生する化学反応。この吸入口は、溶融相自体又はその中の成分が、固体物質から離れてはいるが物質が溶融すると到達することの出来る位置にある別の種と接触する領域へのアクセスを提供する。
iii．覗き窓を通して見ることの出来る酵素反応。
【００２９】
不可逆性は、素子の活性化とセンサが反応を検出する表示の双方に関係する。バリアの破裂などにより誘発又は活性化され必要な温度に達すると、センサの反応は不可逆である。
【００３０】
しかし、素子が誘発温度以下に再冷却されると、センサとの反応を停止して不可逆事象を回避するような感知遅延を、絶縁物質が「組込」む。この時点で素子は、しかしながら不可逆的に活性化又は誘発される。
【００３１】
事象（センサとの溶融素子の相互作用）に基づいて、製品（食品又は薬品など）を廃棄することが出来るか又は、周囲温度が不適切であると明確にすることが出来る。
【００３２】
表示器存続期間の各種段階を次のように要約することが出来る。
i．（反応物質を含む／含まない）区画化溶融相に壊れ易い薄膜を持たせるステップ。
ii．製品を溶融相の溶融温度以下に冷却し、壊れ易い薄膜を破裂させるステップ。
iii．絶縁体により（活性化後）溶融遅延を達成するステップ。感知素子との相互作用を遅延させるステップ。
iv．視覚、嗅覚、聴覚による検出可能（不可逆）の反応。
【００３３】
更に具体例幾つかを下記に記述する。
例１：約１０℃の融点を有する物質を、「開いた貝殻」状形態のプラスチック素子内にある２つの区画の中にピペットで取る。壊れ易い薄膜を用いて物質を素子内に密封する。
【００３４】
物質の溶融を遅延させることの出来る絶縁物質を最も外側に含むように、表示器を構成する。次いで素子を１０℃以下に冷却し、素子上で「貝」を閉じるとき、センサが密封を破裂させて素子が活性になるよう、感知素子を素子の中に入れる。
【００３５】
例２：例１と同様であるが、化学物質、酵素又は微生物などの反応種を、溶融物質が運ぶ。
【００３６】
その他各種の実施例を考察することが出来る。例えば、固体状態で感知素子と相互作用をする物質を有することが可能である。感温材料が溶融相にあるとき、その物質は感知素子から流れ去って、相互作用を停止し感知素子の化学的、生化学的、又微生物学的特性を変更することが出来る。
【００３７】
添付請求項の範囲内で各種変更をおこなうことが出来る。
【００３８】
明細書付属書（先の出願の明細書）
【００３９】
背景
食品及び薬品などの製品を曝露するのに不適切な温度を明確にすることにつき現在大きい関心が寄せられている。このとき、製品を廃棄して消費者の健康を保護するため、この情報を使用することが出来る。同様に、時間遅れ又は賞味期限を品質監視システムの中に組込むことが重要である。以下の文書は、１つ以上の検出システムを誘発することの出来る新規の時間−温度表示器の開発を明確にする。
【００４０】
最近まで、時間−温度表示器は、その基礎を時間−温度に連結する事象に対し目で容易に見ることの出来る応答を生じることの周りに置いて来た。しかし、化学的事象が生起したことを確認するため、すべての製品を目又は別の視覚系で検査しなければならないという点で、これらのシステムには限界が課せられる。以下の発明は、用いられる活性化及び区画化技術に関し広義の光学系で応用することが出来る。
【００４１】
発明の要約
本発明により、誘発に際し、高温度で溶ける溶融相が感知素子と直接相互作用をしてその生理化学的（化学的、生化学的又は微生物学的）特性を変更することの出来る絶縁溶融素子が提供される。
【００４２】
本発明により、誘発に際し、反応生物種を運ぶ高温度で溶ける溶融相が感知素子と直接又は間接に相互作用をしてその物理化学的（化学的、生化学的又は微生物学的）特性を変更することの出来る絶縁溶融素子が提供される。
【００４３】
本発明により、誘発に際し、高温度で溶ける溶融相が感知素子との相互作用を停止してその物理化学的（化学的、生化学的又は微生物学的）特性を変更することの出来る絶縁溶融素子が提供される。
【００４４】
本発明により、誘発に際し、反応生物種を運ぶ高温度で溶ける溶融相が感知素子と直接又は間接に相互作用を停止してその物理化学的（化学的、生化学的又は微生物学的）特性を変更することの出来る絶縁溶融素子が提供される。
【００４５】
製品概要
基本誘発剤
温度表示器は、特定温度の誘発に依拠する。本製品の誘発の主成分は、特定の温度で溶融する化学物質である。広範囲の化学種がこの目的に適し、それらの混合物は鮮明又は広範な溶融特性を示す。
【００４６】
強化誘発剤
溶融誘発剤は、溶融に際して誘発マトリクスから解放される結果反応に関与する別の化学的、生化学的（酵素）又は微小生物学的種に対する担体として働くとき多くの環境で有用に採用することが出来る。この反応種は、固体マトリクスから離れた位置にあるが溶融に際して接触する別の反応種と反応することが出来る。同様に、追加の反応種（第２反応物質）もまた誘発剤マトリクス内に置くことが出来る。このシステムもまた、非親水性溶融物質を採用するとき、比較的疎水性の環境のため、化学的／生化学的反応の速度を遅くする。
【００４７】
区画化
製品は、必要に応じて、誘発剤の融点以上の温度で製造することが出来るように設計する。この効果を果たすには、区画化が必要である。これは、誘発物質を特定のウエル（又は区画室）にピペットで取り（又は必要に応じて同様に充填し）、次いで壊し易い膜（又は障壁）を用いてその場所に密封することにより可能である。選択肢の１つは、互いに蝶番で止める別々の容器２つの中にウエルを充填する。これらのウエルは、好ましい位置でお互いに連結させることが出来る。ウエルの間の中央／接近し易い場所（これは温度（低下）により活性化されるとき）において、感知素子は溶融物質に自由に接近することが出来るようになる。この感知素子は溶融物質により直接に、又はそれの含む化学物質、生化学物質又は微生物により影響を受けて、時間−温度効果を表示することが出来る。
【００４８】
輸送
区画化設計は、製品を活性化することなく室温などで出荷することが出来ることを意味する。これは、製品出荷に伴う費用を軽減するので、非常に重要な特徴である。
【００４９】
使用前活性化
必要な活性化を備えるには、溶融物質をそれが溶融する温度以下に冷却し、区画化素子の中の明確な位置で固体化するようにしなければならない。次いで素子を、（溶融物質の）流体の流れを制限する密封が、そこで不可逆的に破られる形態に組立てる。これで素子が一方向誘発剤となる。
【００５０】
絶縁体
活性化素子の都合の良い輸送を容易にするためには、溶融に遅れがあるのが望ましい。これは、素子に不可欠な成分、すなわち断熱材（単数又は複数）の使用により達成される。この物質は、各種の異なる形態で構成され、製品が必要とする最も適切な時間−温度遅延特性を備えるように設計される。
【００５１】
芯機構
溶融相は、芯によって検出装置まで引き寄せられる。芯は、吸収性相又は吸着性相であるか又は（細い中空毛細管の使用などにより果たされる）毛管力により作用する。
【００５２】
活性化
活性化する方法が実際には優先されるが、別の手段でも達成される。簡潔な一方法は、特定製品への取付けに際して区画バリアを破裂させることである。このバリアは、最大限活性化されるように設計された。
【００５３】
感知素子
（絶縁）物質の溶融は、不可逆事象として生起しなければならない。
これは、
覗き窓を通して見る化学反応（溶融相が直接に又はその中の成分が、固体物質から離れてはいるが物質が溶融すると到達することの出来る位置にある別の相と接触する場合）。
【００５４】
吸入口を通して嗅ぐ化学反応（溶融相が直接に又はその中の成分が、固体物質から離れてはいるが物質が溶融すると到達することの出来る位置にある別の相と接触する場合）。
【００５５】
覗き窓を通して見る酵素反応（溶融相が直接に又はその中の成分が、固体物質から離れてはいるが物質が溶融すると到達することの出来る位置にある別の相と接触する場合）。
【００５６】
不可逆性
不可逆性は、素子の活性化及び感知素子の表示の双方に関係する。誘発されて感知素子が活性化すると、その反応は不可逆である。しかし、素子が誘発温度以下に再冷却されるときは、センサとの反応を停止して不可逆事象を回避することが出来るよう、絶縁物質が感知遅延を組込む。この時点で素子は、しかし、まだ不可逆的に活性化される。
【００５７】
得られる結果
事象（溶融素子のセンサとの相互作用）に基づいて、製品（食品又は薬品など）を廃棄することが出来るか又は、周囲温度が不適切であると明確にすることが出来る。
【００５８】
幅広い実施例
2004534251.tif 000002
【００５９】
具体例
例１：約１０℃の融点を有する物質を、「開いた貝殻」状形態のプラスチック素子内にある２つの区画の中にピペットで取る。物質の溶融を遅延させることの出来る絶縁物質を最も外側に含むように構成される素子の中に、物質を密封する。次いで素子を１０℃以下に冷却し、感知素子を素子の中に入れて、「貝」を素子上で閉じるとき、センサが密封を破裂させて素子が活性化する。
【００６０】
例２：例１と同様であるが、溶融物質が化学物質、酵素又は微生物など、別の物質を含む。
【国際公開パンフレット】
2004534251.tif 000003
2004534251.tif 000004
2004534251.tif 000005
2004534251.tif 000006
2004534251.tif 000007
2004534251.tif 000008
2004534251.tif 000009
2004534251.tif 000010
2004534251.tif 000011
2004534251.tif 000012
2004534251.tif 000013
2004534251.tif 000014
2004534251.tif 000015
2004534251.tif 000016
2004534251.tif 000017
2004534251.tif 000018
2004534251.tif 000019
2004534251.tif 000020
2004534251.tif 000021
【手続補正書】
【提出日】平成15年9月24日(2003.9.24)
【手続補正１】
【補正対象書類名】特許請求の範囲
【補正対象項目名】全文
【補正方法】変更
【補正の内容】
【特許請求の範囲】
【請求項１】
感温材料と感知素子とを含む熱履歴表示器において、温度が所定の値を超えるとき感知素子の生理化学的特性（化学的、生化学的又は微生物学的）に変更を生じる熱履歴表示器であって、温度が所定値を一時的に超過し続いてそれよりも再冷却されるとき、感温材料を保護して、感知素子が生理化学的変更を受けることを停止する断熱材を含むこと特徴とする、熱履歴表示器。
【請求項２】
活性化手段を含む、請求項１に記載の熱履歴表示器。
【請求項３】
活性化手段の誘発により、感温材料の溶融相が感知素子と相互作用をし、それにより、感知素子の化学的、生化学的又は微生物学的特性を変更することの出来る、請求項２に記載の熱履歴表示器。
【請求項４】
溶融相が、感知素子と直接相互作用をしてその化学的、生化学的又は微生物学的特性を変更する、先行請求項のうちいずれか１つに記載の熱履歴表示器。
【請求項５】
溶融相が、感知素子と相互作用をしてその化学的、生化学的又は微生物学的特性を変更するように、反応種を運ぶ、先行請求項のうちいずれか１つに記載の熱履歴表示器。
【請求項６】
反応種と感知素子との相互作用が直接的である、請求項５に記載の熱履歴表示器。
【請求項７】
反応種と感知素子との相互作用が間接的である、請求項５に記載の熱履歴表示器。
【請求項８】
活性化手段の誘発により、感温材料の溶融相が、感知素子との相互作用を停止し、それにより感知素子の化学的、生化学的又は微生物学的特性を変更することの出来る、請求項２に記載の熱履歴表示器。
【請求項９】
誘発に先立って、感温材料と感知素子とが直接相互作用をする、請求項８に記載の熱履歴表示器。
【請求項１０】
感温材料が誘発に先立って感知素子と相互作用をする反応種を運ぶ、請求項８及び９に記載の熱履歴表示器。
【請求項１１】
反応種と感知素子との相互作用が直接的である、請求項１０に記載の熱履歴表示器。
【請求項１２】
反応種と感知素子との相互作用が間接的である、請求項１０に記載の熱履歴表示器。
【請求項１３】
１つ以上の区画を含む、先行請求項のうちいずれか１つに記載の熱履歴表示器。
【請求項１４】
１つ以上の区画がウエルである、請求項１３に記載の熱履歴表示器。
【請求項１５】
１つ以上の区画が壊すことの出来る膜又はバリアにより密封される、請求項１３及び１４に記載の熱履歴表示器。
【請求項１６】
感知素子が区画の間の中央に配置される、請求項１３乃至１５に記載の熱履歴表示器。
【手続補正２】
【補正対象書類名】明細書
【補正対象項目名】全文
【補正方法】変更
【補正の内容】
【発明の詳細な説明】
【技術分野】
【０００１】
食品及び薬品などの製品が曝露されるのに対し、不適切な温度を明確にすることに現在大きな関心が寄せられている。このとき、製品を廃棄して消費者の健康を保護するため、この情報を使用することが出来る。同様に、時間遅れ又は賞味期限を品質監視システムの中に組込むことが重要である。以下の文書は、１つ以上の検出システムを誘発することの出来る新規の時間−温度表示器の開発を明確にする。
【背景技術】
【０００２】
最近まで、時間−温度表示器は、その基礎を時間−温度に関連する事象に対し目で容易に見ることの出来る製品の周りに置いて来た。しかし、化学的事象が生起したことを確認するため、すべての製品を目又は他の視覚系で検査しなければならないという点で、これらのシステムには限界がある。以下の発明は、活性化及び用いられる区画化技術に関し広義の視覚系で適用される。
【発明の開示】
【発明が解決しようとする課題】
【０００３】
本発明により、感温材料と感知素子とを含み、温度が所定の値を超えるとき感知素子の生理化学的特性（化学的、生化学的又は微生物学的）に変更を生じる熱履歴表示器であって、温度が所定値を一時的に超過し続いてそれ以下に再冷却されるとき、感温材料を保護して、感知素子が生理化学的変更を受けることを停止する断熱材を含むことを特徴とする、熱履歴表示器が提供される。
【０００４】
この熱履歴表示器は、活性化手段を含むのが好適である。
【課題を解決するための手段】
【０００５】
第１実施例においては、活性化手段の誘発により、感温材料の溶融相が感知素子と相互作用をし、それにより、感知素子の化学的、生化学的又は微生物学的特性を変更することが出来る。
【０００６】
本発明のこの態様は、誘発に際し、高温度で溶ける溶融相が感知素子に対し直接相互作用をしてその生理化学的（化学的、生化学的又は微生物学的）特性を変更することの出来る絶縁溶融素子を提供する。
【０００７】
溶融相は、感知素子と直接相互作用をしてその化学的、生化学的又は微生物学的特性を変更する。
【０００８】
あるいは、感知素子と相互作用をしてその化学的、生化学的又は微生物学的特性を変更するように、溶融相が反応種を運ぶ。反応種と感知素子の相互作用は直接的のことも間接的のこともある。
【０００９】
第２実施例においては、活性化手段の誘発により、感温材料の溶融相が感知素子と相互作用を停止し、それにより、感知素子の化学的、生化学的又は微生物学的特性を変更することが出来る。
【００１０】
本発明の態様は、誘発に際し、高温度で溶ける溶融相が感知素子との相互作用を停止して、その物理化学的（化学的、生化学的又は微生物学的）特性を変更することの出来る絶縁溶融素子を提供する。
【００１１】
誘発の前に、感温材料と感知素子とは直接相互作用をする。
【００１２】
あるいは、感温材料が、誘発の前に感知素子と相互作用をする反応種を運ぶ。反応種と感知素子との相互作用は直接のことも間接のこともある。
【００１３】
熱履歴表示器は、ウエル又は類似なものなど１つ以上の区画を有し、その中に感温材料を保持することが出来る。１つ以上のウエルは壊れ易い膜又はバリアを用いて密封され、活性化手段として作用する。
【００１４】
１実施例において、感知素子はウエルの間の中央に置かれる。
【００１５】
活性化は物理的手段を用いて随意に行う。
【００１６】
断熱手段は、感温材料の溶融を遅延させる。
【００１７】
ここでは一例として、本発明の各種実施例を記述する。
【発明を実施するための最良の形態】
【００１８】
温度表示器は、特定温度の誘発に依拠する。本実施例の指示器の主成分は、本実施例の指示器の主成分は、特定の温度で溶融する化学物質である。広範囲の化学種がこの目的に適するので、それらの各種化合物及び混合物を、当業者は公知のように使用して、鮮明又は広範な溶融特性を与えるように使用することが出来る。
【００１９】
感温材料は、温度が融点以下では固体マトリクス配置で存在し、温度が融点以上では溶融状態で存在する。
【００２０】
感温材料自体は、熱履歴表示器の部品を形成する感知素子と反応することがある。しかし、溶融物質が、別の化学的、生化学的（酵素）又は微生物学的種に対する担体として役割を果たすとき、多くの環境で効果的に用いられる。
【００２１】
この反応種は、溶融されると有効なマトリクスから解放され、その結果として反応（物）に関与する。反応種は、固体マトリクスから離れているが感温材料がその溶融状態にあるときは接触する位置に置かれる第２反応種と反応する。
【００２２】
追加反応種（第２反応物質）もまた、マトリクス内に置かれる。こうしてこれら２つは、物質が溶融状態にあって最早マトリクスが２つを分離しなくなるとき相互作用をすることが出来る。このシステムは、非親水性溶融物質を用いる場合に、比較的疎水性の環境であるため化学的／生物学的反応の速度を遅くすることが出来る。
【００２３】
熱履歴表示器は、必要であれば誘発の融点以上の温度で製造することが出来るよう設計される。これは、製造方法を簡略化して経費を削減する。
【００２４】
この効果を達成するためには、素子の区画化が必要である。これは、感温材料を特定のウエル又は区画室にピペットで取り（又は必要に応じて同様に充填し）、壊れ易い膜（又は障壁）で所定の場所に密封することにより可能となる。
【００２５】
１実施例においては、ウエルがヒンジ結合される２つの分離容器の中に充填される。これらのウエルは、好ましい位置でお互いに連結することが出来る。ウエルの間の中央、接近し易い位置に感知素子があり、これは活性化されるとき溶融物質に対し自由に接近することが出来るようになる。この感知素子は溶融物質に直接、又は溶融物質の運ぶ化学物質、生化学物質あるいは微生物により相互作用をすることが出来る。
【００２６】
溶融相は、芯によって検出装置まで引き寄せられる。芯は、吸収剤又は吸収性相であるか又は（細い中空毛細管の使用などにより果たされる）毛管力により作用する。
【００２７】
必要な活性化を提供するため、溶融物質は、区画素子内の明確な位置で固化するよう溶融温度以下に冷却しなければならない。次いでこの素子を、（溶融物質の）流体の流れを制限する密封がそこで不可逆的に損傷される形態に組立てる。このときこの素子は、一方向誘発となる。
【００２８】
活性化する方法が実際には優先されるが、別の手段でも達成される。
【００２９】
簡潔な方法の１つは、表示器の組立に際して区画バリアを破裂させることである。あるいは、特定製品に対する取付けに際し、バリアを破裂させる。このバリアは、最大限活性化されるように設計された。
【００３０】
区画デザインは、表示器を活性化することなく室温などで出荷出来ることを指す。加えて、必要に応じて、活性化されることなく表示器を製品に取付けることが出来る。
【００３１】
これは、製品出荷に伴う経費を削減するので、極めて有用な特徴である。
【００３２】
活性化素子の都合の良い輸送を容易にするためには、溶融に遅れがあるのが望ましい。これは、素子に不可欠な成分、すなわち断熱材（単数又は複数）の組込みにより達成される。絶縁物質は、表示器に取付ける製品と周囲温度との間の温度障壁として働く。この物質は、各種の異なる形態で構成され、製品が必要とする最も適切な時間−温度遅延特性を備えるように設計される。
【００３３】
区画デザインは、製品を活性化することなく室温などで出荷出来ることを指す。これは、製品出荷に伴う経費を削減するので、極めて重要な特性である。
【００３４】
（絶縁）物質の溶融は、次のような不可逆事象として生起しなければならない。
i表示器上に設けられる覗き窓を通して見ることの出来る化学反応。例えば、これは溶融相自体又はその中の成分が、固体物質から離れてはいるが物質が溶融すると接近可能な位置にある別の種と接触する領域である。
ii．吸入口を通して嗅ぐことの出来る臭いを発生する化学反応。この吸入口は、溶融相自体又はその中の成分が、固体物質から離れてはいるが物質が溶融すると到達することの出来る位置にある別の種と接触する領域へのアクセスを提供する。
iii．覗き窓を通して見ることの出来る酵素反応。
【００３５】
不可逆性は、素子の活性化とセンサが反応を検出する表示の双方に関係する。バリアの破裂などにより誘発又は活性化され必要な温度に達すると、センサの反応は不可逆である。
【００３６】
しかし、素子が誘発温度以下に再冷却されると、センサとの反応を停止して不可逆事象を回避するような感知遅延を、絶縁物質が「組込」む。この時点で素子は、しかしながら不可逆的に活性化又は誘発される。
【００３７】
事象（センサとの溶融素子の相互作用）に基づいて、製品（食品又は薬品など）を廃棄することが出来るか又は、周囲温度が不適切であると明確にすることが出来る。
【００３８】
表示器存続期間の各種段階を次のように要約することが出来る。
i．（反応物質を含む／含まない）区画化溶融相に壊れ易い薄膜を持たせるステップ。
ii．製品を溶融相の溶融温度以下に冷却し、壊れ易い薄膜を破裂させるステップ。
iii．絶縁体により（活性化後）溶融遅延を達成するステップ。感知素子との相互作用を遅延させるステップ。
iv．視覚、嗅覚、聴覚による検出可能（不可逆）の反応。
【００３９】
更に具体例幾つかを下記に記述する。
例１：約１０℃の融点を有する物質を、「開いた貝殻」状形態のプラスチック素子内にある２つの区画の中にピペットで取る。壊れ易い薄膜を用いて物質を素子内に密封する。
【００４０】
物質の溶融を遅延させることの出来る絶縁物質を最も外側に含むように、表示器を構成する。次いで素子を１０℃以下に冷却し、素子上で「貝」を閉じるとき、センサが密封を破裂させて素子が活性になるよう、感知素子を素子の中に入れる。
【００４１】
例２：例１と同様であるが、化学物質、酵素又は微生物などの反応種を、溶融物質が運ぶ。
【００４２】
その他各種の実施例を考察することが出来る。例えば、固体状態で感知素子と相互作用をする物質を有することが可能である。感温材料が溶融相にあるとき、その物質は感知素子から流れ去って、相互作用を停止し感知素子の化学的、生化学的、又微生物学的特性を変更することが出来る。
【００４３】
添付請求項の範囲内で各種変更をおこなうことが出来る。
【００４４】
明細書付属書（先の出願の明細書）
【００４５】
背景
食品及び薬品などの製品を曝露するのに不適切な温度を明確にすることにつき現在大きい関心が寄せられている。このとき、製品を廃棄して消費者の健康を保護するため、この情報を使用することが出来る。同様に、時間遅れ又は賞味期限を品質監視システムの中に組込むことが重要である。以下の文書は、１つ以上の検出システムを誘発することの出来る新規の時間−温度表示器の開発を明確にする。
【００４６】
最近まで、時間−温度表示器は、その基礎を時間−温度に連結する事象に対し目で容易に見ることの出来る応答を生じることの周りに置いて来た。しかし、化学的事象が生起したことを確認するため、すべての製品を目又は別の視覚系で検査しなければならないという点で、これらのシステムには限界が課せられる。以下の発明は、用いられる活性化及び区画化技術に関し広義の光学系で応用することが出来る。
【００４７】
発明の要約
本発明により、誘発に際し、高温度で溶ける溶融相が感知素子と直接相互作用をしてその生理化学的（化学的、生化学的又は微生物学的）特性を変更することの出来る絶縁溶融素子が提供される。
【００４８】
本発明により、誘発に際し、反応生物種を運ぶ高温度で溶ける溶融相が感知素子と直接又は間接に相互作用をしてその物理化学的（化学的、生化学的又は微生物学的）特性を変更することの出来る絶縁溶融素子が提供される。
【００４９】
本発明により、誘発に際し、高温度で溶ける溶融相が感知素子との相互作用を停止してその物理化学的（化学的、生化学的又は微生物学的）特性を変更することの出来る絶縁溶融素子が提供される。
【００５０】
本発明により、誘発に際し、反応生物種を運ぶ高温度で溶ける溶融相が感知素子と直接又は間接に相互作用を停止してその物理化学的（化学的、生化学的又は微生物学的）特性を変更することの出来る絶縁溶融素子が提供される。
【００５１】
製品概要
基本誘発剤
温度表示器は、特定温度の誘発に依拠する。本製品の誘発の主成分は、特定の温度で溶融する化学物質である。広範囲の化学種がこの目的に適し、それらの混合物は鮮明又は広範な溶融特性を示す。
【００５２】
強化誘発剤
溶融誘発剤は、溶融に際して誘発マトリクスから解放される結果反応に関与する別の化学的、生化学的（酵素）又は微小生物学的種に対する担体として働くとき多くの環境で有用に採用することが出来る。この反応種は、固体マトリクスから離れた位置にあるが溶融に際して接触する別の反応種と反応することが出来る。同様に、追加の反応種（第２反応物質）もまた誘発剤マトリクス内に置くことが出来る。このシステムもまた、非親水性溶融物質を採用するとき、比較的疎水性の環境のため、化学的／生化学的反応の速度を遅くする。
【００５３】
区画化
製品は、必要に応じて、誘発剤の融点以上の温度で製造することが出来るように設計する。この効果を果たすには、区画化が必要である。これは、誘発物質を特定のウエル（又は区画室）にピペットで取り（又は必要に応じて同様に充填し）、次いで壊し易い膜（又は障壁）を用いてその場所に密封することにより可能である。選択肢の１つは、互いに蝶番で止める別々の容器２つの中にウエルを充填する。これらのウエルは、好ましい位置でお互いに連結させることが出来る。ウエルの間の中央／接近し易い場所（これは温度（低下）により活性化されるとき）において、感知素子は溶融物質に自由に接近することが出来るようになる。この感知素子は溶融物質により直接に、又はそれの含む化学物質、生化学物質又は微生物により影響を受けて、時間−温度効果を表示することが出来る。
【００５４】
輸送
区画化設計は、製品を活性化することなく室温などで出荷することが出来ることを意味する。これは、製品出荷に伴う費用を軽減するので、非常に重要な特徴である。
【００５５】
使用前活性化
必要な活性化を備えるには、溶融物質をそれが溶融する温度以下に冷却し、区画化素子の中の明確な位置で固体化するようにしなければならない。次いで素子を、（溶融物質の）流体の流れを制限する密封が、そこで不可逆的に破られる形態に組立てる。これで素子が一方向誘発剤となる。
【００５６】
絶縁体
活性化素子の都合の良い輸送を容易にするためには、溶融に遅れがあるのが望ましい。これは、素子に不可欠な成分、すなわち断熱材（単数又は複数）の使用により達成される。この物質は、各種の異なる形態で構成され、製品が必要とする最も適切な時間−温度遅延特性を備えるように設計される。
【００５７】
芯機構
溶融相は、芯によって検出装置まで引き寄せられる。芯は、吸収性相又は吸着性相であるか又は（細い中空毛細管の使用などにより果たされる）毛管力により作用する。
【００５８】
活性化
活性化する方法が実際には優先されるが、別の手段でも達成される。簡潔な一方法は、特定製品への取付けに際して区画バリアを破裂させることである。このバリアは、最大限活性化されるように設計された。
【００５９】
感知素子
（絶縁）物質の溶融は、不可逆事象として生起しなければならない。
これは、
覗き窓を通して見る化学反応（溶融相が直接に又はその中の成分が、固体物質から離れてはいるが物質が溶融すると到達することの出来る位置にある別の相と接触する場合）。
【００６０】
吸入口を通して嗅ぐ化学反応（溶融相が直接に又はその中の成分が、固体物質から離れてはいるが物質が溶融すると到達することの出来る位置にある別の相と接触する場合）。
【００６１】
覗き窓を通して見る酵素反応（溶融相が直接に又はその中の成分が、固体物質から離れてはいるが物質が溶融すると到達することの出来る位置にある別の相と接触する場合）。
【００６２】
不可逆性
不可逆性は、素子の活性化及び感知素子の表示の双方に関係する。誘発されて感知素子が活性化すると、その反応は不可逆である。しかし、素子が誘発温度以下に再冷却されるときは、センサとの反応を停止して不可逆事象を回避することが出来るよう、絶縁物質が感知遅延を組込む。この時点で素子は、しかし、まだ不可逆的に活性化される。
【００６３】
得られる結果
事象（溶融素子のセンサとの相互作用）に基づいて、製品（食品又は薬品など）を廃棄することが出来るか又は、周囲温度が不適切であると明確にすることが出来る。
【００６４】
幅広い実施例
2004534251.tif 000022
【００６５】
具体例
例１：約１０℃の融点を有する物質を、「開いた貝殻」状形態のプラスチック素子内にある２つの区画の中にピペットで取る。物質の溶融を遅延させることの出来る絶縁物質を最も外側に含むように構成される素子の中に、物質を密封する。次いで素子を１０℃以下に冷却し、感知素子を素子の中に入れて、「貝」を素子上で閉じるとき、センサが密封を破裂させて素子が活性化する。
【００６６】
例２：例１と同様であるが、溶融物質が化学物質、酵素又は微生物など、別の物質を含む。




【国際調査報告】
2004534251.tif 000023
2004534251.tif 000024